(57)【要約】【課題】二つの表示部を必要とすることなく、良好な携帯性能と操作性能を具備し、コスト削減が可能な携帯電子機器を提供する。【解決手段】表面に表示部３１を有する表示部筐体３と、表面に操作部材１１を有する第１操作部１と、表面に操作部材２１を有する第２操作部２と、を積層した構造の携帯電子機器である。そして、表示部筐体３は第１操作部１に対して第１方向に移動可能で、かつ第１操作部１は第２操作部２に対して第２方向に移動可能である構造とする。なお、第１方向と第２方向とは互いに異なる方向である。そして、表示部筐体３が第１操作部１に対して第１方向に移動した状態で、第１操作部１は第２操作部２に対して第２方向に移動可能であり、第１操作部１が第２操作部２に対して第２方向に移動した状態で、表示部筐体３は第１操作部１に対して第１方向に移動可能である。【選択図】図１
2008131454.tif 000002
【特許請求の範囲】
【請求項１】
表面に表示部を有する表示部筐体と、
表面に操作部材を有する第１操作部と、
表面に操作部材を有する第２操作部と、
を積層した構造の携帯電子機器であって、
前記表示部筐体は前記第１操作部に対して第１方向に移動可能で、かつ前記第１操作部は前記第２操作部に対して第２方向に移動可能である構造としたことを特徴とする携帯電子機器。
【請求項２】
前記第１方向と前記第２方向とは互いに異なる方向であることを特徴とする請求項１に記載の携帯電子機器。
【請求項３】
前記表示部筐体が前記第１操作部に対して前記第１方向に移動した状態で、前記第１操作部は前記第２操作部に対して前記第２方向に移動可能であり、
前記第１操作部が前記第２操作部に対して前記第２方向に移動した状態で、前記表示部筐体は前記第１操作部に対して前記第１方向に移動可能であることを特徴とする請求項１または２に記載の携帯電子機器。
【請求項４】
前記表示部筐体が前記第１操作部に対して前記第１方向に移動した状態では、前記第１操作部は前記第２操作部に対して前記第２方向に移動不可能であり、
前記第１操作部が前記第２操作部に対して前記第２方向に移動した状態では、前記表示部筐体は前記第１操作部に対して前記第１方向に移動不可能であることを特徴とする請求項１または２に記載の携帯電子機器。
【請求項５】
前記表示部筐体が前記第１操作部に対して前記第１方向に移動する際には、前記第１操作部は前記第２操作部に保持され、
前記第１操作部が前記第２操作部に対して前記第２方向に移動する際には、前記第１操作部は前記表示部筐体に保持されて、前記表示部筐体は前記第１操作部とともに移動することを特徴とする請求項１から４のいずれか一項に記載の携帯電子機器。
【請求項６】
前記表示部筐体が前記第１操作部に対して前記第１方向に移動する際には、前記表示部は第１機能を表示し、
前記第１操作部が前記第２操作部に対して前記第２方向に移動する際には、前記表示部は第２機能を表示することを特徴とする請求項１から５のいずれか一項に記載の携帯電子機器。
【請求項７】
前記表示部筐体が前記第１操作部に対して前記第１方向に移動する際には、前記表示部は前記第１方向が上になる向きで画面表示し、
前記第１操作部が前記第２操作部に対して前記第２方向に移動する際には、前記表示部は前記第２方向が上になる向きで画面表示することを特徴とする請求項１から６のいずれか一項に記載の携帯電子機器。
【請求項８】
前記第１操作部の操作部材に割り当てられた操作内容を示す操作内容表記は前記第１方向が上になる向きで表記され、
前記第２操作部の操作部材に割り当てられた操作内容を示す操作内容表記は前記第２方向が上になる向きで表記されることを特徴とする請求項１から７のいずれか一項に記載の携帯電子機器。
【請求項９】
前記表示部筐体が前記第１操作部に対して前記第１方向に移動する際には、前記第２操作部に保持された前記第１操作部の操作部材が押圧されると、当該操作部材と重なる位置に設けられた前記第２操作部の操作部材が押圧されて、前記第１操作部の当該操作部材に割り当てられた操作内容が動作することを特徴とする請求項１から８のいずれか一項に記載の携帯電子機器。
【請求項１０】
前記第１操作部の操作部材に割り当てられた操作内容が動作する第１操作モードと、前記第２操作部の操作部材に割り当てられた操作内容が動作する第２操作モードとを切り替える操作モード切替手段を備えることを特徴とする請求項１から９のいずれか一項に記載の携帯電子機器。
【請求項１１】
前記操作モード切替手段は、前記表示部筐体が前記第１操作部に対して前記第１方向に移動する際には、前記第１操作モードに切り替え、前記第１操作部が前記第２操作部に対して前記第２方向に移動する際には、前記第２操作モードに切り替えることを特徴とする請求項１０に記載の携帯電子機器。
【発明の詳細な説明】
【技術分野】
【０００１】
本発明は、表示部筐体に二層の操作部を積層した携帯電子機器に関する。
【背景技術】
【０００２】
近年、携帯電話などの携帯電子機器は、音声通話以外に、電子メールやインターネットへのアクセスなど、多機能化が進んでいる。
さらに、多機能化に伴って従来のダイヤルキーだけでは足りずに、パーソナルコンピュータと同様に、主に文字入力に使用されるフルキーボードを搭載した携帯電子機器が提案されている。
そして、特許文献１には、三個の筐体を三つに折畳み可能に構成された携帯端末機が開示されている。この携帯端末機は、折畳んだ状態の筐体表面に発信、受信、通話用の入力手段（ダイヤルキー）及び情報表示手段（画面）を備え、折畳みを広げた状態の各筐体パネル面に文字や画像などのデータ通信を行う情報端末機能用のキー入力手段（フルキー）及び情報表示手段（画面）を備えている。
【特許文献１】特開２００１−３３９４９７号公報
【発明の開示】
【発明が解決しようとする課題】
【０００３】
しかしながら、特許文献１の携帯端末機においては、折畳んだ状態の筐体表面と、折畳みを広げた状態の筐体パネル面のそれぞれに表示手段を必要とするため、生産コストの大幅な増加を招くという問題がある。
【０００４】
本発明の課題は、二つの表示部を必要とすることなく、良好な携帯性能と操作性能を具備し、コスト削減が可能な携帯電子機器を提供することである。
【課題を解決するための手段】
【０００５】
以上の課題を解決するため、請求項１に記載の発明は、表面に表示部を有する表示部筐体と、表面に操作部材を有する第１操作部と、表面に操作部材を有する第２操作部と、を積層した構造の携帯電子機器であって、前記表示部筐体は前記第１操作部に対して第１方向に移動可能で、かつ前記第１操作部は前記第２操作部に対して第２方向に移動可能である構造としたことを特徴とする。
【０００６】
請求項２に記載の発明は、請求項１に記載の携帯電子機器であって、前記第１方向と前記第２方向とは互いに異なる方向であることを特徴とする。
【０００７】
請求項３に記載の発明は、請求項１または２に記載の携帯電子機器であって、前記表示部筐体が前記第１操作部に対して前記第１方向に移動した状態で、前記第１操作部は前記第２操作部に対して前記第２方向に移動可能であり、前記第１操作部が前記第２操作部に対して前記第２方向に移動した状態で、前記表示部筐体は前記第１操作部に対して前記第１方向に移動可能であることを特徴とする。
【０００８】
請求項４に記載の発明は、請求項１または２に記載の携帯電子機器であって、前記表示部筐体が前記第１操作部に対して前記第１方向に移動した状態では、前記第１操作部は前記第２操作部に対して前記第２方向に移動不可能であり、前記第１操作部が前記第２操作部に対して前記第２方向に移動した状態では、前記表示部筐体は前記第１操作部に対して前記第１方向に移動不可能であることを特徴とする。
【０００９】
請求項５に記載の発明は、請求項１から４のいずれか一項に記載の携帯電子機器であって、前記表示部筐体が前記第１操作部に対して前記第１方向に移動する際には、前記第１操作部は前記第２操作部に保持され、前記第１操作部が前記第２操作部に対して前記第２方向に移動する際には、前記第１操作部は前記表示部筐体に保持されて、前記表示部筐体は前記第１操作部とともに移動することを特徴とする。
【００１０】
請求項６に記載の発明は、請求項１から５のいずれか一項に記載の携帯電子機器であって、前記表示部筐体が前記第１操作部に対して前記第１方向に移動する際には、前記表示部は第１機能を表示し、前記第１操作部が前記第２操作部に対して前記第２方向に移動する際には、前記表示部は第２機能を表示することを特徴とする。
【００１１】
請求項７に記載の発明は、請求項１から６のいずれか一項に記載の携帯電子機器であって、前記表示部筐体が前記第１操作部に対して前記第１方向に移動する際には、前記表示部は前記第１方向が上になる向きで画面表示し、前記第１操作部が前記第２操作部に対して前記第２方向に移動する際には、前記表示部は前記第２方向が上になる向きで画面表示することを特徴とする。
【００１２】
請求項８に記載の発明は、請求項１から７のいずれか一項に記載の携帯電子機器であって、前記第１操作部の操作部材に割り当てられた操作内容を示す操作内容表記は前記第１方向が上になる向きで表記され、前記第２操作部の操作部材に割り当てられた操作内容を示す操作内容表記は前記第２方向が上になる向きで表記されることを特徴とする。
【００１３】
請求項９に記載の発明は、請求項１から８のいずれか一項に記載の携帯電子機器であって、前記表示部筐体が前記第１操作部に対して前記第１方向に移動する際には、前記第２操作部に保持された前記第１操作部の操作部材が押圧されると、当該操作部材と重なる位置に設けられた前記第２操作部の操作部材が押圧されて、前記第１操作部の当該操作部材に割り当てられた操作内容が動作することを特徴とする。
【００１４】
請求項１０に記載の発明は、請求項１から９のいずれか一項に記載の携帯電子機器であって、前記第１操作部の操作部材に割り当てられた操作内容が動作する第１操作モードと、前記第２操作部の操作部材に割り当てられた操作内容が動作する第２操作モードとを切り替える操作モード切替手段を備えることを特徴とする。
【００１５】
請求項１１に記載の発明は、請求項１０に記載の携帯電子機器であって、前記操作モード切替手段は、前記表示部筐体が前記第１操作部に対して前記第１方向に移動する際には、前記第１操作モードに切り替え、前記第１操作部が前記第２操作部に対して前記第２方向に移動する際には、前記第２操作モードに切り替えることを特徴とする。
【発明の効果】
【００１６】
本発明によれば、二つの表示部を必要とすることなく、良好な携帯性能と操作性能を具備し、コスト削減が可能となる。
【発明を実施するための最良の形態】
【００１７】
以下、図を参照して本発明を実施するための最良の形態を詳細に説明する。
図１は本発明を適用した携帯電子機器の一実施形態の構成として携帯端末機を示すもので、１は第１操作部、１１は第１操作部材、２は第２操作部、２１は第２操作部材、３は表示部筐体、３１は表示部であり、図１（ａ）は携帯端末機を閉じた状態を示し、図１（ｂ）は一方向（矢印第１方向）にスライドした状態を示し、図１（ｃ）は他方向（矢印第２方向）にスライドした状態を示している。
【００１８】
図示のように、携帯端末機は、第１操作部１の下側に第２操作部２を重ね、第１操作部１の上に表示部筐体３を重ねた三層構造で、第１操作部１の上面に第１操作部材１１を備え、第２操作部２の上面に第２操作部材２１を備えて、表示部筐体３の上面に表示部３１を備えている。
第１操作部材１１は、携帯端末機の縦方向である矢印第１方向が上になる向きで縦８個×横３個のテンキー、方向キー及び機能キー配列に対応した少なくともキー部分が透明のシートキーにより構成される。
第２操作部材２１は、携帯端末機の横方向である矢印第２方向が上になる向きで横９個×縦３個のキーボード配列に対応したソフトキーにより構成されている。このソフトキーには、後述するスタイル制御処理によりキー操作内容が例えばＬＣＤ（液晶表示）により表記される。
【００１９】
図２から図５は携帯端末機のスライド構造を示すもので、図示のように、第１操作部１の第１操作部材１１を囲む枠状部の両短辺部に形成した係合片１２が、第２操作部２の上面の両短辺部上に形成されたレール２２にスライド動作自在に係合される一方、第１操作部１の枠状部の両長辺部下に形成した係合片１３が、表示部筐体３の下面の両長辺部に形成されたレール３２にスライド動作自在に係合されている。
具体的には、第２操作部２上面の両短辺部上のレール２２に形成した係合溝２３に、第１操作部１の係合片１２がスライド動作自在に係合されて、表示部筐体３下面の両長辺部下のレール３２に形成した係合溝３３に、第１操作部１の係合片１３がスライド動作自在に係合されている。これにより、第１操作部１は、両短辺部の係合片１２で第２操作部２の係合溝２３に保持されて、両長辺部の係合片１３で表示部筐体３の係合溝３３に保持されている。
【００２０】
そして、第２操作部２の第１方向側のレール２２の両端に形成した係合溝２４に、表示部筐体３のレール３２の係合溝３３下の係合片３４が係合されている。また、表示部筐体３の第２方向と反対側のレール３２の両端に形成した係合溝３５に、第２操作部２のレール２２の係合溝２３上の係合片２５が係合されている。
従って、表示部筐体３が、第１操作部１に対し両長辺部の係合片１３が係合する係合溝３３に沿うとともに、第２操作部２に対し係合溝２４が係合する係合片３４に沿って第１方向にスライドした状態において、第１方向側のレール２２がレール３２間に当たり、第１操作部１が第２操作部２に対して第２方向に移動不可能なものとなっている。
また、表示部筐体３が、第１操作部１とともに第２操作部２に対して両短辺部の係合片１２が係合する係合溝２３に沿うとともに、係合溝３５が係合する係合片２５に沿って第２方向にスライドした状態においては、第２方向と反対側のレール３２がレール２２間に当たり、表示部筐体３は第１操作部１に対して第１方向に移動不可能なものとなっている。
【００２１】
なお、図示例では、短辺部の係合片１２に対し長辺部の係合片１３が上段側に位置している。そして、表示部筐体３が第１操作部１に対し第１方向に移動した状態で、両長辺部の係合片１３から係合溝３３が外れないよう図示しないストッパー構造が設けられている。また、表示部筐体３が第１操作部１とともに第２操作部２に対して第２方向に移動した状態で、両短辺部の係合片１２が係合溝２３から外れないよう図示しないストッパー構造が設けられている。ストッパー構造としては、例えば表示部筐体３と第２操作部２との間に設けるストッパー突部などによるものが挙げられる。
また、表示部筐体３の第１方向と反対方向のスライドについては、表示部筐体３のレール３２が第２操作部２の第１方向と反対方向のレール２２に当たり、それ以上は移動しない。表示部筐体３の第２方向と反対方向のスライドについては、第２操作部２のレール２２が表示部筐体３の第２方向のレール３２に当たり、それ以上は移動しない。
【００２２】
ここで、第２操作部２の上面には、図２、図３に示すように、第２操作部材２１と離間して横一列で９個のソフトキー２６が設けられている。このソフトキー２６は、第１操作部１により常時隠されていて、図１（ｂ）に示したように、表示部筐体３が第１操作部１とともに第２操作部２に対して第２方向に移動した状態において、表示部筐体３の長辺部に沿って隠された状態になる。
そして、ソフトキー２６とこれに並列な第２操作部材２１の一列目及び三列目のソフトキーに対応して、第１操作部１のシートキーによる第１操作部材１１の各透明キーがそれぞれ重なることが可能となっている。なお、第２操作部材２１及びソフトキー２６の第１方向端部のキーは、第１操作部材１１には対応しないもので、表示部筐体３が第１操作部１に対して第１方向に移動した状態において、表示部筐体３の短辺部に沿って隠された状態になる。
【００２３】
図６は携帯端末機の配線構造を示すもので、図示のように、第１操作部１と第２操作部２とがフィルムまたはコードによるフレキシブル配線４により接続されるとともに、第１操作部１と表示部筐体３とがフィルムまたはコードによるフレキシブル配線５により接続されている。なお、フレキシブル配線４・５は、第１操作部１において、その接続端子４１・５１が、第１操作部１に設けた配線部１４を介して接続されている。
【００２４】
図７は携帯端末機のスタイル検出の構成例を示すもので、スタイルとは、第１操作部１、第２操作部２及び表示部筐体３の位置関係を示すものである。図示のように、第２操作部２の第１方向の端部には、左側のホールＩＣ（１）６と右側のホールＩＣ（２）７とが設けられて、表示部筐体３の第１方向の端部には、右側に磁石８が設けられている。左右のホールＩＣ（１）６・ホールＩＣ（２）７は、磁石が近接位置にない場合はＯＦＦで、磁石８が近接位置になると各々ＯＮとなる。
【００２５】
図８は携帯端末機のスタイルに対応した表示例を示すもので、図８（ａ）は第１操作部１、第２操作部２及び表示部筐体３を全て重ねたクローズスタイルを示し、図８（ｂ）はクローズスタイルから表示部筐体３を第１操作部１及び第２操作部２に対し第１方向にスライドしたテンキースタイルを示し、図８（ｃ）はクローズスタイルから表示部筐体３を第１操作部１と一緒に第２操作部２に対し第１方向にスライドしたフルキースタイルを示している。
そして、図８（ｂ）のテンキースタイルでは、表示部３１において、図示のように、第１方向に表示形態を合わせて縦長画面で第１方向が上になる向きで画面表示を行うように表示制御し、また、図８（ｃ）のフルキースタイルでは、表示部３１において、図示のように、第２方向に表示形態を合わせて横長画面で第２方向が上になる向きで画面表示を行うように表示制御する。
【００２６】
図９はホールＩＣのＯＮ／ＯＦＦに基づいたスタイルごとの制御内容を示す制御テーブルである。
携帯端末機は、第２操作部２内に設けられる図示しない制御回路または／及び表示部筐体３内に設けられる図示しない制御回路において、図表に示すように、第２操作部２に設けた左右のホールＩＣ（１）６・ホールＩＣ（２）７がともにＯＦＦでテンキースタイルの制御を行い、第２操作部２の左側のホールＩＣ（１）６が表示部筐体１の右側に設けた磁石８の磁力によりＯＮでフルキースタイルの制御を行う。
すなわち、テンキースタイルでは、第１方向が上になる向きで表記された第１操作部材１１のキー表記に対応して、第１操作部材１１の各透明キーがそれぞれ重なるソフトキー２６とこれに並列な第２操作部材２１の一列目及び三列目のソフトキーに対応した操作モードをテンキーモードに制御するとともに、表示部３１の表示画面を第１方向に表示形態を合わせて縦長画面で第１方向が上になる向きで画面表示を行うように制御する。
なお、このテンキースタイルにおいて、第２操作部材２１の二列目のキーは機能しない制御となる。また、第２操作部材２１及びソフトキー２６の第１方向端部のキーも機能しない制御となる。
【００２７】
また、フルキースタイルでは、第２方向が上になる向きで表記された第２操作部材２１のキー表記に対応して、フルキーモードに制御するとともに、表示部３１の表示画面を第２方向に表示形態を合わせて横長画面で第２方向が上になる向きで画面表示を行うように制御する。
従って、前記制御回路には、表示部筐体３が第１操作部１に対して第１方向に移動する際には、縦長画面で第１方向が上になる向きで画面表示を行うと同時に第１方向が上になる向きでキー表記を行い、さらに第１操作モードに切り替え、第１操作部１が第２操作部２に対して第２方向に移動する際には、横長画面で第２方向が上になる向きで画面表示を行うと同時に第２方向が上になる向きでキー表記を行い、さらに第２操作モードに切り替えるキー表記手段と操作モード切替手段及び画面表示手段が含まれる。キー表記手段及び操作モード切替手段は、第１操作部材１１の各キーに割り当てられた操作内容を第１方向が上になる向きで表記してその操作内容が動作する第１操作モードに切り替え、また、第２操作部材２１の各キーに割り当てられた操作内容を第２方向が上になる向きで表記してその操作内容が動作する第２操作モードに切り替える。
なお、第２操作部２の右側のホールＩＣ（２）７が表示部筐体１の右側の磁石８の磁力によりＯＮの場合、クローズスタイルと判断し、制御は行わない。
【００２８】
図１０は図８のスタイルに応じた制御処理を示すフローチャートである。
すなわち、スタイル制御処理は、まず、ステップＳ１でホールＩＣ（１）６・ホールＩＣ（２）７の状態変化を監視し、状態変化検出が有れば次のステップＳ２に進む。ステップＳ２でホールＩＣ（２）７がＯＮであれば、次のステップＳ３で図９の制御テーブルを参照してクローズスタイルと判別し、次のステップＳ４で表示ＯＦＦを出力して処理を終了する。
【００２９】
また、ステップＳ２でホールＩＣ（２）７がＯＦＦであればステップＳ５に進む。ステップＳ５でホールＩＣ（１）６がＯＮであれば、次のステップＳ６で図９の制御テーブルを参照してフルキースタイルと判別し、次のステップＳ７で「ソフトキーを第２方向で表示」を出力する。これにより、ソフトキーによる第２操作部材２１には、図１（ｃ）に示したようにキー操作内容が表記される。
続いて、次のステップＳ８で「画面を第２方向で表示」を出力する。これにより、表示部３１には、図８（ｃ）に示したように画面が表示される。
続いて、次のステップＳ９で「ソフトキーの操作モードをフルキーモード」を出力する。これにより、第２操作部材２１の操作モードがフルキーモードに切り替わる。その後、処理を終了する。
【００３０】
また、ステップＳ５でホールＩＣ（１）６がＯＦＦであれば、ステップＳ１０に進んで図９の制御テーブルを参照してテンキースタイルと判別し、次のステップＳ１１で「ソフトキーを第１方向で表示」を出力する。これにより、第２操作部材２１の一列目及び三列目のソフトキーとソフトキー２６には、図１（ｂ）に示したようにキー操作内容が表記される。そのキー操作内容の表記は、シートキーによる第１操作部材１１の透明キーを通して見える。
続いて、次のステップＳ１２で「画面を第１方向で表示」を出力する。これにより、表示部３１には、図８（ｂ）に示したように画面が表示される。
続いて、次のステップＳ１３でソフトキーの「操作モードをテンキーモード」を出力する。これにより、第２操作部材２１の一列目及び三列目のソフトキーとソフトキー２６がテンキーモードに切り替わる。その後、処理を終了する。
【００３１】
以上の構成の携帯端末機によれば、表示部筐体３、第１操作部１、第２操作部２を積層した構成により、良好な携帯性能を具備することができる。そして、第１操作部１と第２操作部２を互いに移動可能としたことにより、良好な操作性能を具備することができる。しかも、表示部３１が１つで良いことから、コストを削減できるものである。
【００３２】
そして、第１操作部１と第２操作部２を異なる方向に移動可能とすることにより、縦長と横長の異なる操作形態に対応できるようになる。従って、良好な操作性を具備することができる。
【００３３】
しかも、図１（ｃ）に示すように、表示部筐体３が第１操作部１に対して両長辺部の係合片１３に係合溝３３がスライドして第１方向に移動した状態では、第１操作部１は第２操作部２に対して第２方向に移動不可能として、図１（ｂ）に示すように、第１操作部１が第２操作部２に対して両端辺部の係合溝２２に係合片１２がスライドして第２方向に移動した状態では、表示部筐体３は第１操作部１に対して第１方向に移動不可能となっている。これにより、第１操作部１と第２操作部２を同時に使用せずにそれぞれの操作部１・２で専用の入力ができるようになる。従って、それぞれの操作部１・２にある操作部材１１・２１だけで足りるような入力の際には、良好な操作性を具備することができる。
【００３４】
なお、表示部筐体３が第１操作部１に対して第１方向に移動した状態で、第１操作部１は第２操作部２に対して第２方向に移動可能として、第１操作部１が第２操作部２に対して第２方向に移動した状態で、表示部筐体３は第１操作部１に対して第１方向に移動可能としても良い。こうすることにより、第１操作部１と第２操作部２を同時に使用することができるようになる。従って、多くの操作部材、つまり、シートキーによる第１操作部材１１とソフトキーによる第２操作部材２１が必要となる複雑な入力の際には、良好な操作性を具備することができる。
【００３５】
そして、表示部筐体３を第１操作部１に対して第１方向に移動させる際には、第１操作部１は第２操作部２に保持される構成のため、使用者は第１操作部１と第２操作部２の両方を持たなくてもどちらか一方を持てば、表示部筐体３を移動させることができる。また、第１操作部１を第２操作部２に対して第２方向に移動させる際には、第１操作部１は表示部筐体３に保持されて、表示部筐体３は第１操作部１とともに移動するので、使用者は、表示部筐体３と第１操作部１の両方を持たなくてもどちらか一方を持てば、表示部筐体３と第１操作部１を第２操作部２に対して第２方向に移動させることができる。従って、良好な操作性を具備することができる。
【００３６】
また、表示部３１には、図８に示すように、第１操作部１と第２操作部２のそれぞれに応じた機能を自動的に表示するようにしたことにより、良好な操作性を具備することができる。
【００３７】
また、表示部３１には、図８に示すように、第１操作部１と第２操作部２のそれぞれの入力形態に応じた向きで画面を自動的に表示するようにしたことにより、良好な操作性を具備することができる。
【００３８】
また、図１に示したように、第１操作部１と第２操作部２のそれぞれの入力形態に応じた向きで各々の操作部材１１・２１の操作内容、つまり、ソフトキー表示などを表記するようにしたことにより、良好な操作性を具備することができる。
なお、ソフトキー表示に代えてキー印刷でも良い。
【００３９】
また、実施形態によれば、第１操作部１の操作部材１１が果たす役割の一部を、重なる位置に設けられた第２操作部２の操作部材２１に肩代わりさせることができる。つまり、例えばスイッチ機構を第１操作部１には設けず第２操作部２のみに設けることができる。それによってコスト削減が可能となる。
【００４０】
そして、第１操作部１と第２操作部２のそれぞれの入力形態に応じた操作モードに切り替える手段を備えるようにしたことにより、良好な操作性を具備することができる
【００４１】
さらに、その切り替えを、表示部筐体３が第１操作部１に対して第１方向に移動する際、あるいは、第１操作部１が第２操作部２に対して第２方向に移動する際に、自動的に切り替えるようにしたことにより、さらに良好な操作性を具備することができる。
【００４２】
なお、以上の実施形態においては、携帯電子機器として携帯端末機としたが、本発明はこれに限定されるものではなく、携帯電話機、ＰＤＡ、デジタルカメラ、その他の携帯型の電子機器であっても良い。
また、実施形態では、第１操作部の操作部材をシートキーとして第２操作部の操作部材をソフトキーとしたが、他に、第１操作部の操作部材をソフトキーやハードキーやタッチパネルなどとしたり、第２操作部の操作部材をハードキーやタッチパネルなどとしても良い。
さらに、各部の形状等も任意であり、その他、具体的な細部構造等についても適宜に変更可能であることは勿論である。
【図面の簡単な説明】
【００４３】
【図１】本発明を適用した携帯電子機器の一実施形態の構成を示すもので、携帯端末機を閉じた状態の斜視図（ａ）と一方向にスライドした状態の斜視図（ｂ）及び他方向にスライドした状態の斜視図（ｃ）である。
【図２】図１の携帯端末機の分解斜視図で、テンキー使用時のスライド方向を矢印で示した図である。
【図３】図１の携帯端末機の分解斜視図で、フルキー使用時のスライド方向を矢印で示した図である。
【図４】図１（ｃ）の携帯端末機のテンキースタイル時のスライド状態を示すもので、上方から示した斜視図（ａ）及び下方から示した要部拡大斜視図（ｂ）である。
【図５】図１（ｂ）の携帯端末機のフルキースタイル時のスライド状態を示すもので、上方から示した斜視図（ａ）及びその要部拡大図（ｂ）である。
【図６】図１の携帯端末機の分解斜視図で、配線構造を示した図である。
【図７】図１の携帯端末機の分解斜視図で、スタイル検出の構成例を示した概略図である。
【図８】図１の携帯端末機のスタイルに対応した表示例を示すもので、クローズスタイルを示した概略図（ａ）とテンキースタイルを示した斜視図（ｂ）及びフルキースタイルを示した斜視図（ｃ）である。
【図９】ホールＩＣのＯＮ／ＯＦＦに基づいたスタイルごとの制御内容を示す制御テーブルである。
【図１０】図８のスタイルに応じた制御処理を示すフローチャートである。
【符号の説明】
【００４４】
１  第１操作部
１１  第１操作部材
１２  短辺部の係合片
１３  長辺部の係合片
１４  配線部
２  第２操作部
２１  第２操作部材
２２  レール
２３  係合溝
２４  係合溝
２５  係合片
２６  ソフトキー
３  表示部筐体
３１  表示部
３２  レール
３３  係合溝
３４  係合片
３５  係合溝
４  フレキシブル配線
５  フレキシブル配線
６  ホールＩＣ（１）
７  ホールＩＣ（２）
８  磁石
【図１】
2008131454.tif 000003
【図２】
2008131454.tif 000004
【図３】
2008131454.tif 000005
【図４】
2008131454.tif 000006
【図５】
2008131454.tif 000007
【図６】
2008131454.tif 000008
【図７】
2008131454.tif 000009
【図８】
2008131454.tif 000010
【図９】
2008131454.tif 000011
【図１０】
2008131454.tif 000012